(57)【要約】      （修正有）【課題】エアの噴射方向を掃除場所の状況に応じて切り替えることができ、掃除時間の短縮化と作業の効率化を図ることができるエア噴射ガンを提供する。【解決手段】エア供給源から送られるエアを噴射する銃身部９を有する。銃身部９から前方へ噴射するエアの方向を、銃身部９の軸心Ｌと同一直線方向のストレート棒状と、軸心Ｌに対しテーパ拡散状に噴射する拡散状と、に切り替える噴射方向切替手段10を、具備する。噴射方向切替手段10は、銃身部９の前端９ａに配設されエアをストレート棒状に噴射する第１噴射孔11とテーパ拡散状に噴射する円環状の第２噴射孔12とを前部13に有するノズル部材６を、具備する。かつ、噴射方向切替手段10は、軸心Ｌ廻りに回転自在として配設され、銃身部９のエア供給用空洞部19を第１噴射孔11・第２噴射孔12に択一的に連通させるエア通路を有する切替円環体４を、具備する。【選択図】図１
0003122670.tif 000002
【実用新案登録請求の範囲】
【請求項１】
エア供給源から送られるエアを噴射する銃身部（９）を有するエア噴射ガンに於て、
上記銃身部（９）から前方へ噴射するエアの方向を、該銃身部（９）の軸心（Ｌ）と同一直線方向のストレート棒状と、該軸心（Ｌ）に対しテーパ拡散状に噴射する拡散状と、に切り替える噴射方向切替手段（10）を、具備することを特徴とするエア噴射ガン。
【請求項２】
エア供給源から送られるエアを噴射する銃身部（９）を有するエア噴射ガンに於て、
上記銃身部（９）から前方へ噴射するエアの方向を、該銃身部（９）の軸心（Ｌ）と同一直線方向のストレート棒状と、該軸心（Ｌ）に対しテーパ拡散状に噴射する拡散状と、に切り替える噴射方向切替手段（10）を、具備し、
該噴射方向切替手段（10）は、上記銃身部（９）の前端（９ａ）に配設されエアを上記ストレート棒状に噴射する第１噴射孔（11）と上記テーパ拡散状に噴射する円環状の第２噴射孔（12）とを前部（13）に有するノズル部材（６）を、具備し、
かつ、上記噴射方向切替手段（10）は、上記軸心（Ｌ）廻りに回転自在として配設され、上記銃身部（９）のエア供給用空洞部（19）を上記第１噴射孔（11）・第２噴射孔（12）に択一的に連通させるエア通路（40）を有する切替円環体（４）を、具備することを特徴とするエア噴射ガン。
【請求項３】
エア供給源から送られるエアを噴射する銃身部（９）を有するエア噴射ガンに於て、
上記銃身部（９）から前方へ噴射するエアの方向を、該銃身部（９）の軸心（Ｌ）と同一直線方向のストレート棒状と、該軸心（Ｌ）に対しテーパ拡散状に噴射する拡散状と、に切り替える噴射方向切替手段（10）を、具備し、
該噴射方向切替手段（10）は、上記銃身部（９）の前端（９ａ）に配設されエアを上記ストレート棒状に噴射する第１噴射孔（11）と上記テーパ拡散状に噴射する円環状の第２噴射孔（12）とを前部（13）に有するノズル部材（６）を、具備し、
かつ、上記噴射方向切替手段（10）は、上記軸心（Ｌ）廻りに回転自在として上記銃身部（９）と上記ノズル部材（６）の間に配設され、上記銃身部（９）のエア供給用空洞部（19）を上記第１噴射孔（11）・第２噴射孔（12）に択一的に連通させるエア通路（40）を有する切替円環体（４）を、具備することを特徴とするエア噴射ガン。
【考案の詳細な説明】
【技術分野】
【０００１】
本考案は、塵埃を清掃する際等にエアを噴射するエア噴射ガンに関するものである。
【背景技術】
【０００２】
従来のエア噴射ガンは、ガン本体の銃身部の前端に１本の噴射ノズルが設けられ、銃身部の内部の空洞部を通ったエアが、ノズル先端から一直線状に噴射するものが知られている。
【考案の開示】
【考案が解決しようとする課題】
【０００３】
この従来のエア噴射ガンによれば、エアの方向が一直線なので、吹き飛ばしたい塵埃等にエアを狙い易い。他方で、一直線方向にしかエアが噴射しないことで、塵埃が広範囲にわたって散乱している場合等には、一度に多くの塵埃を吹き飛ばせず、時間と手間が掛かり、効率が悪い。
そこで、本考案は、エアの噴射方向を掃除場所の状況に応じて切り替えることができ、掃除時間の短縮化と作業の効率化を図ることができるエア噴射ガンを提供することを目的とする。
【課題を解決するための手段】
【０００４】
上記の目的を達成するために、本考案に係るエア噴射ガンは、エア供給源から送られるエアを噴射する銃身部を有し、上記銃身部から前方へ噴射するエアの方向を、該銃身部の軸心と同一直線方向のストレート棒状と、該軸心に対しテーパ拡散状に噴射する拡散状と、に切り替える噴射方向切替手段を、具備する。
【０００５】
また、本考案に係るエア噴射ガンは、エア供給源から送られるエアを噴射する銃身部を有し、上記銃身部から前方へ噴射するエアの方向を、該銃身部の軸心と同一直線方向のストレート棒状と、該軸心に対しテーパ拡散状に噴射する拡散状と、に切り替える噴射方向切替手段を、具備し、該噴射方向切替手段は、上記銃身部の前端に配設されエアを上記ストレート棒状に噴射する第１噴射孔と上記テーパ拡散状に噴射する円環状の第２噴射孔とを前部に有するノズル部材を、具備し、かつ、上記噴射方向切替手段は、上記軸心廻りに回転自在として配設され、上記銃身部のエア供給用空洞部を上記第１噴射孔・第２噴射孔に択一的に連通させるエア通路を有する切替円環体を、具備する。
【０００６】
また、本考案に係るエア噴射ガンは、エア供給源から送られるエアを噴射する銃身部を有し、上記銃身部から前方へ噴射するエアの方向を、該銃身部の軸心と同一直線方向のストレート棒状と、該軸心に対しテーパ拡散状に噴射する拡散状と、に切り替える噴射方向切替手段を、具備し、該噴射方向切替手段は、上記銃身部の前端に配設されエアを上記ストレート棒状に噴射する第１噴射孔と上記テーパ拡散状に噴射する円環状の第２噴射孔とを前部に有するノズル部材を、具備し、かつ、上記噴射方向切替手段は、上記軸心廻りに回転自在として上記銃身部と上記ノズル部材の間に配設され、上記銃身部のエア供給用空洞部を上記第１噴射孔・第２噴射孔に択一的に連通させるエア通路を有する切替円環体を、具備する。
【考案の効果】
【０００７】
本考案は、次のような著大な効果を奏する。
本考案に係るエア噴射ガンは、噴射するエアの方向を、銃身部の軸心と同一直線方向のストレート棒状と、軸心に対しテーパ拡散状に噴射する拡散状と、に切り替えることができるので、エアの噴射方向をテーパ拡散状に切り替えることで、塵埃等が広い範囲に散乱していても、短時間で一気に塵埃等を吹き飛ばすことができる。あるいは、エアの噴射方向をストレート棒状に切り替えれば、一箇所に溜まっている塵埃等を狙って吹き飛ばすことができる。このように、塵埃が散乱している状態等に応じて噴射方向を切り替えることができるので、掃除時間の短縮と、掃除効率の向上を図ることができる。
さらに、切替円環体を回転させれば、エアを、ストレート棒状に噴射する第１噴射孔と、テーパ拡散状に噴射する第２噴射孔に択一的に連通させることができるので、簡易な構造でありながらエアの噴射方向を確実に切り替えることができる。そして、容易に切替可能なので、掃除中の作業の妨げにならない。また、この切替円環体は銃身部の前端近傍に設けられているので、把持部を握った状態で指が切替円環体に届き、一層切替が容易となる。
【考案を実施するための最良の形態】
【０００８】
以下、実施の形態を示す図面に基づき、本考案を詳説する。
図１は本考案に係るエア噴射ガンの実施の一形態を示し、このエア噴射ガンは、図示省略のエア供給源にホース等により接続される把持部７と銃身部９とを一体に有するガン本体８を具備し、把持部７の下端のホース接続部から銃身部９の前端９ａにかけて、エアを通すための空洞部19が、形成されている。銃身部９は円筒形状を有し、空洞部19の内周面の前端部には、（後述の）エア通路雄部材５の螺着部50が螺着される雌ネジ19ａが、形成されている。14は、ガン本体８に取付けられて、供給されたエアを銃身部９の前端９ａから噴射させるための引金部材である。
かつ、本考案のエア噴射ガンは、銃身部９から前方へ噴射するエアの方向を、銃身部９の軸心Ｌと同一直線方向のストレート棒状と、軸心Ｌに対しテーパ拡散状に噴射する拡散状とに切り替える噴射方向切替手段10を、具備する。以下、噴射方向切替手段10について説明する。
【０００９】
図１〜図４に示したように、噴射方向切替手段10は、銃身部９の前端９ａに取着されるエア通路雄部材５と、エア通路雄部材５の前部に取付けられかつエアをストレート棒状に噴射する第１噴射孔11とテーパ拡散状に噴射する円環状の第２噴射孔12とを前部13に有するノズル部材６と、銃身部９の空洞部19を第１噴射孔11・第２噴射孔12に択一的に連通させるエア通路40を有する切替円環体４と、を具備する。切替円環体４は、軸心Ｌ廻りに回転自在として、エア通路雄部材５とノズル部材６の間に配設される。
【００１０】
先ず、図１、図２、図４、図５に於て、エア通路雄部材５は、銃身部９の雌ネジ19ａに螺合する雄ネジ50ａを側面に有する螺着部50と、螺着部50の前部に拡径して設けられた鍔状大径部53と、大径部53の前面中央に突設された軸部54と、軸部54の前部に小くびれ部をもって形成された雄ネジ部55と、を同一軸心Ｌ上に一体状に有する。螺着部50と大径部53は、前後方向のエア通路52が形成されており、エア通路52の一方（後部）は螺着部50の後面51の中央部に開口し、かつ、他方（前部）は軸部54の後部の側面に開口している。なお、図５の実施例ではエア通路52が分岐して２孔で開口している。
【００１１】
次に、ノズル部材６について説明する。ノズル部材６は、エア通路雄部材５の前部に取着されエア通路雄部材５のエア通路52を介して供給されたエアを分岐させる２本のエア通路31，32を有するエア分岐部材３と、エア分岐部材３に前方へ突設されストレート棒状のエアを噴射させる第１噴射孔11を有する筒状噴射部材１と、噴射部材１を包囲状としてエア分岐部材３に取付けられるカバー筒体２と、から成る。
【００１２】
ノズル部材６の各部材について説明する。先ず、図１〜図４、図９、図10に於て、エア分岐部材３は、エア通路雄部材５の雄ネジ部55に螺着する（後側）雌ネジ孔35を後面33の中央部に有する後側円柱部30と、後側円柱部30の前部に小段差をもって縮径形成された前側円柱部37と、を同一軸心Ｌ上に一体状に有する。前側円柱部37は、側周面に雄ネジ37ａが形成されると共に、前面38の中央に、（後述の）噴射部材１の雄ネジ部15が螺着する（前側）雌ネジ孔36を有する。かつ、エア分岐部材３は、エアが通る第１エア通路31・第２エア通路32が形成されている。第１エア通路31は、その一方（後部）が後側円柱部30の後面33に開口し、かつ、他方（前部）が前側雌ネジ孔36の奥部に開口している。また、第２エア通路32は、その一方（後部）が後側円柱部30の後面33に開口し、かつ、他方（前部）が前側円柱部37の側面に雄ネジ37ａより前側の位置に、開口している。また、後側円柱体30の後面33に、（後述の）切替円環体４の回転規制溝41に差込まれる回転規制突部34が、突設される。後側円柱部30の後面33において、第１エア通路31と第２エア通路32は、雌ネジ孔35を挟んで対称位置にあり、かつ、回転規制突部34は、第２エア通路32に対し時計回りに90°位相した位置に配設される（図９参照）。
【００１３】
次に、図１〜図４、図11に於て、噴射部材１は、略円筒形状を有し、かつ、後部は、小段差部をもって縮径して雄ネジ部15が形成され、かつ、前部18は、前方へテーパ状に縮径して形成される。かつ、噴射部材１は、多数本の前後方向ローレット状の細溝条部16…が外周面17に形成されると共に、第１噴射孔11が前後方向一直線状に貫設されている。
次に、図１〜図４、図12に於て、カバー筒体２は略円筒形状を有し、内周面20は、後端部に雌ネジ21を有する後側内周面20Ａと、後側内周面20Ａの前端縁に段差部22をもって縮径する前側内周面20Ｂと、から成る。また、カバー筒体２の前部23の外周面は、前方へ縮径するテーパ状に形成されている。カバー筒体２の雌ネジ21がエア分岐部材３の雄ネジ37ａに螺着されて、カバー筒体２が、エア分岐部材３に包囲状に取付けられる。
【００１４】
次に、切替円環体４は、図１〜図４、図６〜図８に示したように、短円筒形状を有し、その中心孔部44は、後側の大径孔部42と、大径孔部42の前端縁に小段差をもって縮径して形成した前側の小径孔部43とから成る。切替円環体４は、中心孔部44をもってエア通路雄部材５の軸部54に外嵌する。かつ、切替円環体４の前面46には、エア分岐部材３の回転規制突部34が差込まれる略４半円弧状の回転規制溝41が、小径孔部43廻りに形成されている。また、切替円環体４は、一対のエア通路40，40が前後方向に貫設されている。一対のエア通路40，40は、相互に、軸心Ｌ廻りに位相が略90°ずれた位置に形成され、かつ、軸心Ｌに対し上記溝41の対称位置の近傍に配設される。各エア通路40の後部は、大径孔部42に連続状となっている。また、切替円環体４の外周面45は、指で回転させる際の滑り防止用ローレットが形成されている。
切替円環体４を軸心Ｌ廻りに回転して切替えることで、一対のエア通路40Ｘ，40Ｙが、銃身部９のエア供給用空洞部19、即ち、エア通路雄部材５のエア通路52を、上記第１噴射孔11・第２噴射孔12に択一的に連通させる。
【００１５】
次に、本考案のエア噴射ガンのセットの順について説明する。
図４に於て、エア通路雄部材５の軸部54に、切替円環体４の孔部44を外嵌させて、雄ネジ部55を切替円環体４の前面から前方へ突出状とする。切替円環体４は、大径孔部42が後側に、小径孔部43が前側となるように、配設される。
次いで、エア分岐部材３の後側雌ネジ孔35をエア通路雄部材５の雄ネジ部55に螺着して、エア分岐部材３を、その回転規制突部34を切替円環体４の回転規制溝41に差込みながら、エア通路雄部材５に取付ける。切替円環体４は、その前後方向幅寸法Ｐ4 が軸部54の幅寸法Ｐ54より僅かに小さく設定されており、エア通路雄部材５の大径部53とエア分岐部材３との間にて、回転自在である。
次いで、噴射部材１の雄ネジ部15を、エア分岐部材３の前側雌ネジ孔36に螺着して、噴射部材１をエア分岐部材３に取付ける。そして、カバー筒体２を、エア分岐部材３の前側円柱部37、及び、噴射部材１に包囲状として、カバー筒体２の雌ネジ21を前側円柱部37の雄ネジ37ａに螺着すれば、噴射方向切替手段10がセットされる（図１〜図３参照）。このとき、噴射部材１のテーパ状の前部18（図11参照）が、カバー筒体２の前端開口部24から前方へ突出状となり、噴射部材１の多数本の細溝条部16…の前端が、該前端開口部24から僅かに露出した状態となっている。噴射部材１と前側内周面20Ｂの前端縁部とにより、円環状の第２噴射孔12が形成され、この第２噴射孔12は、多数本の細溝条部16…により、多数の微細な孔が周方向に断続的（散点状）に連なったものである。
そして、図１に示したように、エア通路雄部材５の螺着部50の雄ネジ50ａを、ガン本体８の銃身部９の雌ネジ19ａに螺着すれば、本考案のエア噴射ガンがセットされる。
なお図示省略するが、第２噴射孔12を連続円環状に形成する設計変更も自由である。
【００１６】
次に、本考案のエア噴射部材の使用方法及び作用について説明する。
図13、図14はともに、後側から前方向へエア分岐部材３と切替円環体４を見たものであり説明のために分離させた状態を示す。図14の矢印28の方向を時計回りの方向とする。図13は、エア分岐部材３の回転規制突部34が、切替円環体４の回転規制溝41の（時計回り）基端41ｂに当接した状態である。このとき、一対のエア通路40，40のうち（時計回り）先端側のエア通路40Ｘが、エア分岐部材３の第２エア通路32と、前後方向において一致（連通）する。そして、エア噴射ガンの引金部材14（図１参照）を引くと、エア供給源から供給されたエアが、銃身部９の空洞部19とエア通路雄部材５のエア通路52を介して、切替円環体４の大径孔部42に供給され、さらに、両通路40Ｘ，32を通り（図６〜図10参照）、カバー筒体２の内周面20とエア分岐部材３の円柱部37の間の空間25に達する（図２参照）。そして、図２、図３に於て、エアは、カバー筒体２の前側内周面20Ｂと噴射部材１の細溝条部16…の間に形成された第２噴射孔12から、矢印47に示したようにテーパ拡散に噴射する。一方、図13に於て、基端側のエア通路40Ｙは、エア分岐部材３のエア通路31に対応せず後面33によって封鎖されるため、エア分岐部材３の第１エア通路31にはエアが供給されず、噴射部材１の第１噴射孔11からエアが噴射することはない。
【００１７】
次に、切替円環体４を指で反時計回り（図13の矢印27の方向）に回転させ、図14に示したように、切替円環体４の回転規制溝41の（時計回り）先端41ａを、エア分岐部材３の回転規制突部34に当接させる。このとき、一対のエア通路40，40のうち（時計回り）基端側のエア通路40Ｙが、エア分岐部材３の第１エア通路31と、前後方向において一致（連通）する。そして、引金部材14を引くと、エア供給源から供給されたエアが、両通路40Ｙ，31を通り（図６〜図10）、噴射部材１の第１噴射孔11（図11参照）から、図１の矢印48に示したように、軸心Ｌと同一直線方向のストレート棒状に、噴射する。一方、図14に於て、先端側のエア通路40Ｘは、エア分岐部材３のエア通路32に対応せず後面33によって封鎖閉鎖されるため、エア分岐部材３の第２エア通路32にはエアが供給されず、第２噴射孔12からエアが噴射することはない。
【００１８】
また、図14に於て、切替円環体４を矢印28の方向に回転させれば、図13に示した第２噴射孔12からエアが噴射する状態に切り替わる。
上述のように、エア分岐部材３の第１エア通路31には、切替円環体４の基端側のエア通路40Ｙが対応し、かつ、第２エア通路32には、先端側のエア通路40Ｘが対応するので、図13の状態と図14の状態の相互切替は、切替円環体４を略90°の位相をもって回転させるだけで、可能であり、大きな位相を回転させる必要はない。よって、切替が容易であり、迅速に行い得る。また、この切替円環体４は銃身部９の前端９ａ近傍に設けられているので、把持部７を握った状態で指が切替円環体４に届き、回転させ易い。
【００１９】
以上のように、本考案に係るエア噴射ガンは、エア供給源から送られるエアを噴射する銃身部９を有し、銃身部９から前方へ噴射するエアの方向を、銃身部９の軸心Ｌと同一直線方向のストレート棒状と、軸心Ｌに対しテーパ拡散状に噴射する拡散状と、に切り替える噴射方向切替手段10を、具備するものなので、エアの噴射方向をテーパ拡散状に切り替えることで、塵埃等が広い範囲に散乱していても、短時間で一気に塵埃等を吹き飛ばすことができる。あるいは、エアの噴射方向をストレート棒状に切り替えれば、一箇所に溜まっている塵埃等を狙って吹き飛ばすことができる。このように、塵埃が散乱している状態等に応じて噴射方向を切り替えることができるので、掃除時間の短縮化と、掃除効率の工場を図ることができる。
【００２０】
また、本考案に係るエア噴射ガンは、エア供給源から送られるエアを噴射する銃身部９を有し、銃身部９から前方へ噴射するエアの方向を、銃身部９の軸心Ｌと同一直線方向のストレート棒状と、軸心Ｌに対しテーパ拡散状に噴射する拡散状と、に切り替える噴射方向切替手段10を、具備し、噴射方向切替手段10は、銃身部９の前端９ａに配設されエアをストレート棒状に噴射する第１噴射孔11とテーパ拡散状に噴射する円環状の第２噴射孔12とを前部13に有するノズル部材６を、具備し、かつ、噴射方向切替手段10は、軸心Ｌ廻りに回転自在として配設され、銃身部９のエア供給用空洞部19を第１噴射孔11・第２噴射孔12に択一的に連通させるエア通路40を有する切替円環体４を、具備するものなので、エアの噴射方向をテーパ拡散状に切り替えることで、塵埃等が広い範囲に散乱していても、短時間で一気に塵埃等を吹き飛ばすことができる。あるいは、エアの噴射方向をストレート棒状に切り替えれば、一箇所に溜まっている塵埃等を狙って吹き飛ばすことができる。このように、塵埃が散乱している状態等に応じて噴射方向を切り替えることができるので、掃除時間の短縮と、掃除効率の向上を図ることができる。
また、切替円環体４を回転させることで、エアを、ノズル部材６の第１噴射孔11・第２噴射孔12とに択一的に供給できるので、簡易な構造でありながらエアの噴射方向を確実に切り替えることができる。そして、容易に切替可能なので、掃除中の作業の妨げにならない。
【００２１】
また、本考案に係るエア噴射ガンは、エア供給源から送られるエアを噴射する銃身部９を有し、銃身部９から前方へ噴射するエアの方向を、銃身部９の軸心Ｌと同一直線方向のストレート棒状と、軸心Ｌに対しテーパ拡散状に噴射する拡散状と、に切り替える噴射方向切替手段10を、具備し、噴射方向切替手段10は、銃身部９の前端９ａに配設されエアをストレート棒状に噴射する第１噴射孔11とテーパ拡散状に噴射する円環状の第２噴射孔12とを前部13に有するノズル部材６を、具備し、かつ、噴射方向切替手段10は、軸心Ｌ廻りに回転自在として銃身部９とノズル部材６の間に配設され、銃身部９のエア供給用空洞部19を第１噴射孔11・第２噴射孔12に択一的に連通させるエア通路40を有する切替円環体４を、具備するものなので、エアの噴射方向をテーパ拡散状に切り替えることで、塵埃等が広い範囲に散乱していても、短時間で一気に塵埃等を吹き飛ばすことができる。あるいは、エアの噴射方向をストレート棒状に切り替えれば、一箇所に溜まっている塵埃等を狙って吹き飛ばすことができる。このように、塵埃が散乱している状態等に応じて噴射方向を切り替えることができるので、掃除時間の短縮と、掃除効率の向上を図ることができる。  また、切替円環体４を回転させることで、エアを、ノズル部材６の第１噴射孔11・第２噴射孔12とに択一的に供給できるので、簡易な構造でありながらエアの噴射方向を確実に切り替えることができる。そして、容易に切替可能なので、掃除中の作業の妨げにならない。
また、この切替円環体４は銃身部９の前端９ａ近傍に設けられているので、把持部７を握った状態で指が切替円環体４に届き、一層切替が容易となる。
【図面の簡単な説明】
【００２２】
【図１】本考案に係るエア噴射ガンの実施の一形態を示す一部断面側面図である。
【図２】噴射方向切換手段を示す一部断面側面図である。
【図３】正面図である。
【図４】説明用分解図である。
【図５】エア通路雄部材を示す断面側面図である。
【図６】切替円環体を示す正面図である。
【図７】図６のＡ−Ａ断面図である。
【図８】背面図である。
【図９】エア分岐部材を示す背面図である。
【図１０】図９のＢ−Ｂ断面図である。
【図１１】噴射部材を示す側面断面図である。
【図１２】カバー筒体を示す側面断面図である。
【図１３】エア分岐部材と切替円環体を示す説明用背面図である。
【図１４】エア分岐部材と切替円環体を示す説明用背面図である。
【符号の説明】
【００２３】
４  切替円環体
６  ノズル部材
９  銃身部
９ａ  前端
10  噴射方向切替手段
11  第１噴射孔
12  第２噴射孔
13  前部
19  空洞部
40  エア通路
Ｌ  軸心
【図１】
0003122670.tif 000003
【図２】
0003122670.tif 000004
【図３】
0003122670.tif 000005
【図４】
0003122670.tif 000006
【図５】
0003122670.tif 000007
【図６】
0003122670.tif 000008
【図７】
0003122670.tif 000009
【図８】
0003122670.tif 000010
【図９】
0003122670.tif 000011
【図１０】
0003122670.tif 000012
【図１１】
0003122670.tif 000013
【図１２】
0003122670.tif 000014
【図１３】
0003122670.tif 000015
【図１４】
0003122670.tif 000016